(57)【要約】【課題】  非サポートの各国の公式定型サイズを、受信／レポート印刷等でサポートでき、また各国で容易にカスタマイズ可能とするための設定ができる画像通信装置を提供する。【解決手段】  画像出力装置から、出力可能な用紙サイズを取得する第一出力可能用紙サイズ検知手段と、通信路上で交換する用紙の幅に関連づけて、代替用紙情報を記憶する記憶手段と、画像出力装置から、出力可能な代替用紙サイズが存在するか確認する第二出力可能用紙サイズ検知手段と、受信した画像を第一出力サイズまたは第二出力サイズの内、最も高速に出力できるカセット段のサイズにあわせて、画像サイズを変更して出力する、画像出力制御手段とを備えた構成を有することを特徴とする。【選択図】        図２
2006352638.tif 000002
【特許請求の範囲】
【請求項１】
画像形成に関る複数の画像処理機能と、
各画像形成機能を設定する為の表示装置と、
入力装置を用いた対話型の操作設定手段と、
遠隔にある相手機から、通信路上で受信する用紙の幅を交換した後、画情報を受信する画像受信手段と、
該画情報を蓄積する蓄積手段と、
装置内の各部の動作制御を司る制御手段と、
前記画像処理機能により処理された画像を形成する画像形成手段と、
前記画像形成手段から出力可能な用紙サイズを取得する第一出力可能用紙サイズ検知手段と、
を有し、
前記受信手段において、交換する用紙の幅の種別に関連づけて、代替用紙情報を記憶する代替用紙情報記憶手段と、
前記画像形成手段から、出力可能な代替用紙が存在するか取得する第二出力可能用紙サイズ検知手段と、
受信した画像を第一出力可能用紙サイズまたは第二出力可能用紙サイズの内、最も高速に出力できるカセット段のサイズにあわせて、前記画像処理機能によって画像サイズを変更して出力する機器制御手段と、
を備えることを特徴とする画像通信装置。
【請求項２】
前記第一出力可能用紙サイズ検知手段によって、検知した出力可能用紙サイズと、前記第二出力可能用紙サイズ検知手段によって検知した出力可能用紙サイズに関連づけられた交換する用紙の幅の種別の内で、最大のサイズを、受信可能サイズとして宣言することを特徴とする請求項１に記載の画像通信装置。
【請求項３】
前記画像処理機能は、特に拡大および縮小機能を含み、
前記操作設定手段によって、予めオペレータによって設定された、最大縮小率および最大拡大率を保持する、拡大縮小率保持手段を更に有し、
交換する用紙のサイズと、関連づけられた代替用紙の大きさが前記、拡大縮小率の範囲を超えた場合に、代替用紙に出力せず、第一出力可能用紙サイズのみに出力することを特徴とする請求項１または２に記載の画像通信装置。
【請求項４】
前記画像受信手段によって複数ページを受信し、全ページの受信および通信の終了を待って、画像形成手段が動作する、一括ページ画像形成手段を更に有し、
先頭のページを出力する際に、前記機器制御手段によって選択された用紙サイズが、代替用紙サイズである場合、以降のページを、第一出力可能用紙サイズに出力せず、全て代替用紙のみに出力することを特徴とする請求項１、２、３のいずれかに記載の画像通信装置。
【発明の詳細な説明】
【技術分野】
【０００１】
本発明は画像通信装置に関し、詳しくは、ネットワーク等の伝送媒体を介して接続された画像通信装置の機器制御方法に関するものであり、特に印刷出力時の出力制御方法に関する。
【背景技術】
【０００２】
今日の複合複写機では、スキャンした画像をプリントするコピー機能だけではなく、ネットワーク経由での印刷やスキャンおよび公衆回線網経由でのファクシミリ機能といった種々の機能が搭載されるようになっている。
【０００３】
少なくとも画像を用紙等の記録媒体に印刷する機能を備えた画像通信装置には、複数の異なるサイズの定型用紙が同時にセット可能な構成のものがある。
【０００４】
また、様々な定型サイズの用紙を用いた印刷に対する要求は、特に業務の国際化により高まっている。例えば、第１の国で公文書等を作成するために日常的に使用されている用紙は、第２の国ではほとんど使用されないといったことがあり、サイズとしては大きく替わらない複数の系列の定型サイズがセット可能となることが望ましい。
【０００５】
例えば、ネットワーク経由での印刷機能においては、ユーザはパーソナルコンピュータ等のホスト装置から印刷装置に対して使用する用紙のサイズを指定する。そこで、特許文献１のように印刷装置に対して使用する第一用紙サイズに加えて代替用紙サイズを指定し、第一用紙サイズの用紙が無くなっている場合には、代替用紙サイズに出力する、という技術がある。
【特許文献１】特開２００２−２４８８３１号公報
【発明の開示】
【発明が解決しようとする課題】
【０００６】
しかしながら、ファクスおよびＩファクスでは、通信路上では、幅方向にのみ定型で、長さ方向に不定長のサイズとして受信される。この受信データを出力する場合、通信路上で交換されるまたは相手先に関連づけて記憶される、幅方向の定型サイズである、Ａ４、Ｂ４、Ａ３、ＬＴＲ、１１×１７およびその同系サイズの記録紙（Ａ５／Ｂ５／ＳＴＭＴ／ＬＧＬなど）にしか出力されないのが一般であり、そのまま日常的に使用されている非サポートサイズの用紙に出力させると、幅方向に画像が切れたり、分割記録される際に、長さ方向に画像が部分的に表示されず、情報が欠落する、という問題点があった。また、受信およびレポート印刷では、ＰＤＬ印刷やコピーでの印刷と異なり、ユーザの介在無くジョブが発生する「自動印刷」である。そのため、ユーザの介在なくまた滞りなく印刷が行われるように、分割や余白、縮小を用いたサポートされた定型サイズ内での代替出力は、多くの複合機でサポートされている。
【０００７】
前述以外の「非サポートの公式定型サイズ」については、各国で様々なサイズの用紙が使用されており、国別にカスタマイズされた機器にてのみ、これらを記録紙サイズとしてサポートするといった運用となっており、一般的に普及していない。
【０００８】
本発明は、上述の問題点に着目してなされたたものであって、各国の非サポートの公式定型サイズを、受信／レポート印刷等でサポートし、また仕向けに応じて容易にカスタマイズ可能とするため、設定・登録出来る画像通信装置を提供することを目的とする。
【課題を解決するための手段】
【０００９】
前記の課題を解決するため、本発明では、画像形成装置から、出力可能な用紙サイズを取得する第一出力可能用紙サイズ検知手段と、通信路上で交換する用紙の幅に関連づけて、代替用紙情報を記憶する記憶手段と、画像形成装置から、出力可能な代替用紙サイズが存在するか確認する第二出力可能用紙サイズ検知手段と、受信した画像を第一出力サイズまたは第二出力サイズの内、最も高速に出力できるカセット段のサイズにあわせて、画像サイズを変更して出力する、機器制御手段とを備えた構成を有する。
【００１０】
すなわち本発明は、画像形成に関る複数の画像処理機能と、
各画像形成機能を設定する為の表示装置と、
入力装置を用いた対話型の操作設定手段と、
遠隔にある相手機から、通信路上で受信する用紙の幅を交換した後、画情報を受信する画像受信手段と、
該画情報を蓄積する蓄積手段と、
装置内の各部の動作制御を司る制御手段と、
前記画像処理機能により処理された画像を形成する画像形成手段と、
前記画像形成手段から出力可能な用紙サイズを取得する第一出力可能用紙サイズ検知手段と、
を有し、
前記受信手段において、交換する用紙の幅の種別に関連づけて、代替用紙情報を記憶する代替用紙情報記憶手段と、
前記画像形成手段から、出力可能な代替用紙が存在するか取得する第二出力可能用紙サイズ検知手段と、
受信した画像を第一出力可能用紙サイズまたは第二出力可能用紙サイズの内、最も高速に出力できるカセット段のサイズにあわせて、前記画像処理機能によって画像サイズを変更して出力する機器制御手段と、
を備えることを特徴とする画像通信装置である。
【発明の効果】
【００１１】
本発明によれば、受信やレポート出力といった自動印刷を、各国で用いられる非サポートの定型サイズに印刷する際に、複合機内のソフトウェアを国別にカスタマイズすることなく、簡易に行うことができ、サポートサイズの拡大により、高速且つ効率よく印刷を行え、ユーザの利便性を高めることができる。
【発明を実施するための最良の形態】
【００１２】
以下、本発明に係る一実施形態について、図面を参照して詳細に説明する。
【実施例】
【００１３】
図１は、本発明の実施の形態に係る画像通信装置を適用した通信システムのシステム構成図である。画像通信装置２００，２２０，２３０、パーソナルコンピュータ２４０は、ＬＡＮ、公衆回線（ＷＡＮ）、インターネット等の通信回線２０８０により相互に通信可能に接続され、公衆回線（ＷＡＮ）を介してＧ３又はＧ４ファクシミリ通信を行うと共に、インターネットを介してインターネットファクシミリ通信を行うことができる。
【００１４】
画像通信装置２００，２２０，２３０は、画像読取機能、印刷機能、複写機能、ファクシミリ通信機能等の各種の機能を有する複合機により構成され、それぞれコントローラユニット２０００，２２００，２３００、スキャナ２０７０，２２７０，２３７０、プリンタ２０９５，２２９５，２３９５、操作部２０８５，２２８５，２３８５を有している。また、パーソナルコンピュータ（以下ＰＣ）２４０は、ＦＴＰ（Ｆｉｌｅ  Ｔｒａｎｓｆｅｒ  Ｐｒｏｔｏｃｏｌ）プロトコル、ＳＭＢ（Ｓｅｒｖｅｒ  Ｍｅｓｓａｇｅ  Ｂｌｏｃｋ）プロトコルを使用したファイルの送受信や電子メールの送受信を行うことができる。
【００１５】
図２は、画像通信装置２００のハードウェア構成を説明するブロック図である（画像通信装置２２０，２３０も同様）。
【００１６】
コントローラユニット２０００は、スキャナ（カラースキャナ）２０７０、プリンタ（カラープリンタ）２０９５、操作部２０８５に接続されると共に、ＬＡＮ２０８０や公衆回線（ＷＡＮ）２０９０にも接続されており、操作部２０８５の操作により入力されたコマンド等に従って、画像読取機能、印刷機能、複写機能、ファクシミリ通信機能等の各種の機能を実現するための各種の制御を行う。
【００１７】
コントローラユニット２０００内のＣＰＵ２００１は、装置全体の動作を制御するコントローラである。ＲＡＭ２００２は、ＣＰＵ２００１が動作するためのワークメモリとして利用されると共に、画像データを一時記憶するための画像メモリとしても利用される。ＲＯＭ２００３は、ブートＲＯＭとし利用され、ブートプログラムが格納されている。ＨＤＤ２００４は、ハードディスクドライブであり、システムソフトウェア、画像データが格納される。操作部Ｉ／Ｆ２００５は、操作部（ＵＩ）２０８５とのインタフェース部であり、操作部２０８５に画像データを出力したり、操作部２０８５からの入力データ（コマンドを含む）をＣＰＵ２００１に伝えたりする。
【００１８】
ネットワークＩ／Ｆ２００７は、ＬＡＮ２０８０に接続され、ＬＡＮ２０８０上の装置との間でデータの入出力を行う。モデム２０５０は、公衆回線２０９０に接続され、公衆回線２０９０上の装置との間でデータの入出力を行う。
【００１９】
２値画像回転部２０５２は、モデム２０５０を介して送受信する２値画像データを回転処理し、２値画像圧縮・伸張部２０５３は、モデム２０５０を介して送受信する２値画像データを圧縮・伸張する。なお、２値画像圧縮・伸張部２０５３は、ＪＢＩＧ、ＭＭＲ、ＭＲ、ＭＨの各圧縮・伸張方式をサポートしている（後述する圧縮部）。ＤＭＡＣ２００９は、ＤＭＡコントローラであり、ＲＡＭ２００２に格納されている画像データをＣＰＵ２００１を介することなく読み出してイメージバスＩ／Ｆ２０１１に転送すると共に、画像バス２０１０からの画像データをＣＰＵ２００１を介することなくＲＡＭ２００２に書き込む。以上のデバイスがシステムバス２００８に接続される。
【００２０】
イメージバスＩ／Ｆ２０１１は、画像バス２０１０を介して高速に画像データを入出力するためのインタフェースである。圧縮部２０１２は、画像バス２０１０に画像データを送出する前に３２画素×３２画素の単位でＪＰＥＧ方式により圧縮し、伸張部２０１３は、画像バス２０１０を介して送られてきた圧縮に係る画像データを伸張する。
【００２１】
ラスタイメージプロセッサ（ＲＩＰ）２０１８は、次のように機能する。すなわち、パーソナルコンピュータ２４０からのＰＤＬコードデータがネットワークＩ／Ｆ２００７を介して入力されると、そのＰＤＬコードデータは、ＣＰＵ２００１の制御の下にシステムバス２００８を介してＲＡＭ２００２に格納される。そして、ＣＰＵ２００１は、ＲＡＭ２００２上のＰＤＬコードデータを中間コードデータに変換し、システムバス２００８を介してＲＩＰ２０１８に入力する。ＲＩＰ２０１８は、中間コードデータをプリンタ２０９５で印刷可能にビットマップイメージデータ（多値）に展開する。
【００２２】
スキャナ画像処理部２０１４は、スキャナ２０７０からの画像データ（カラー／白黒）に対して、各種の画像処理（例えば補正、加工、編集）を行い、多値データとして圧縮部２０１２に出力する。プリンタ画像処理部２０１６は、伸張部２０１３から出力された印刷対象の画像データ（カラー／白黒）に対して、各種の画像処理（例えば補正、加工、編集）を行い、プリンタ２０９５に出力する。なお、伸張部２０１３で２値―多値変換を行うことができるので、プリンタ画像処理部２０１６は、２値および多値の画像データをプリンタ２０９５に出力することができる。
【００２３】
画像変換部２０３０は、画像メモリ（ＲＡＭ２００２）に展開された画像データをＣＰＵ２００１の制御の下に読み出して各種の画像変換処理を行い、再度、ＲＡＭ２００２に書き戻す場合に利用される。画像変換部２０３０の回転部２０１９は、画像データを指定された角度で３２×３２画素の単位で回転することができ、２値、および多値の画像データに対応している。変倍部２０２０は、画像データの解像度を変換したり（例えば６００ｄｐｉから２００ｄｐｉ）、変倍したりする機能（例えば２５％から４００％まで）を有し、変倍する前には３２×３２画素の画像データを３２ライン単位の画像データに並び替える。色空間変換部２０２１は、入力された多値の画像データの色空間を他の色空間に変換する（例えば、ＹＵＶ画像データをＬａｂ画像データに変換する）。また、色空間変換部２０２１は、３×８のマトリクス演算部、および１次元ルックアップテーブルを有し、公知の下地飛ばし処理や裏写り防止処理を行うことができる。
【００２４】
２値多値変換部２０２２は、１ｂｉｔの２値（２階調）の画像データを８ｂｉｔの多値（２５６階調）の画像データに変換する。逆に、多値２値変換部２０２６は、例えばＲＡＭ２００２上の８ｂｉｔ多値（２５６階調）の画像データを誤差拡散処理などの手法により１ｂｉｔの２値（２階調）の画像データに変換する。合成部２０２３は、ＲＡＭ２００２上の２枚の多値の画像データを合成し、１枚の多値の画像データにする機能を有する。例えば、ＲＡＭ２００２上の或る会社のロゴの画像と原稿の画像データを合成することで、原稿の画像データに簡単に会社のロゴを付加することができる。
【００２５】
間引き部２０２４は、多値の画像データについて所定間隔で画素データを間引くことで解像度変換を行うユニットであり、１／２、１／４、１／８に縮小した多値の画像データを出力することができ、変倍部２０２０と合わせて使うことで、より広範囲な拡大、縮小を行うことが可能となる。移動部２０２５は、入力された２値、或いは多値の画像データに対して余白部分を付けたり、余白部分を削除したりして出力することができる。
【００２６】
なお、上記の回転部２０１９、変倍部２０２０、色空間変換部２０２１、２値多値変換部２０２２、合成部２０２３、間引き部２０２４、移動部２０２５、及び多値２値変換部２０２６は、連動して動作することが可能であり、例えばＲＡＭ２００２上の多値の画像データを回転すると共に解像度変換する場合は、回転処理後の画像データを一旦ＲＡＭ２００２に書き戻すことなく（すなわちＲＡＭ２００２を介さずに）、回転処理と解像度変換処理を連動して行うことができる。
【００２７】
図３は画像通信装置２００で扱う画像データの形式を示す図である。本実施の形態で使用される画像データの形式は、特開２００１−１０３４７３号公報で開示されている画像パケット構造を利用している。圧縮部２０１２では、ラスタ形式の画像データを、図３に示したように、３２×３２画素単位のパケットとして並び替え、パケット単位でＪＰＥＧ方式の圧縮を行う。また、図４に示したように、上記のパケットにパケットの位置を示すパケットＩＤ、色空間、ＱテーブルＩＤ、データ長などの情報を付加してヘッダとする。また、文字、写真を示す２値のデータも同様に圧縮して、その圧縮データ（像域フラグＭＭＲ）をＪＰＥＧデータの後ろに付加する。
【００２８】
伸張部２０１３では、このヘッダ情報に基づいてパケット単位でＪＰＥＧデータを伸張し、ラスタ画像データに並び替える。このようにパケット単位で処理することで、画像回転の場合にはパケット内部の画像のみを回転し、パケットＩＤの位置を変更することで伸張、或いは圧縮した画像データを回転することができるため、非常に効率良く回転処理を行うことができる。なお、画像バス２０１０を流れる画像データは、全てパケット単位の画像データである。
【００２９】
また、画像データをＲＡＭ２００２上で扱う場合には、パケットテーブルを用いる。パケットテーブルは、１つの要素が１つのパケットの先頭アドレス情報と当該パケットのサイズ情報で構成され、この要素に係る情報を主走査方向、及び副走査方向に並べることにより、１つの画像データを示している（図３参照）。このパケットテーブルを用いることにより、画像データを構成するパケットがＲＡＭ２００２上で離散的に配置されている場合でも、１つの画像に係る画像データとして扱うことが可能になる。
【００３０】
なお、ＦＡＸ送信や２値画像回転部２０５２、２値画像圧縮・伸張部２０５３などでラスタ画像データが必要な場合は、パケット単位の画像データからラスタ画像データへの変換処理をソフトウェアによって行う。
【００３１】
図５にスキャナ画像処理部２０１４の詳細な構成を示している。スキャナ２０７０から入力されたＲＧＢの各色に係る８ｂｉｔの輝度信号は、マスキング部２５０１によりＣＣＤのフィルタ色に依存しない標準的なＲＧＢ色信号に変換される。フィルタ部２５０２では、例えば９×９のマトリクス状のフィルタを使用し、画像のぼかし処理や、メリハリを付ける処理が行われる。ヒストグラム部２５０３は、下地レベルを判定するために、入力に係る画像信号（画像データ）をサンプリングする。すなわち、ヒストグラム部２５０３は、主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地飛ばし処理や、裏写り防止処理が指定された場合に読み出され、ヒストグラムから原稿の下地を推測し、下地飛ばしのレベルを示すデータとして画像データと共にＲＡＭ２００２やＨＤＤ２００４に保存され、その後、印刷時や送信時の画像処理において使用される。
【００３２】
ガンマ部２５０４では、画像全体の濃度を濃く或いは薄くするための処理が行われる。例えば、入力画像データの色空間を任意の色空間に変換したり、入力系の色味に関する補正処理を行ったりする。色空間変換部２５０５は、原稿がカラーか白黒かを判断するために、変倍前の画像信号を公知のＬａｂ画像データに変換する。このＬａｂ画像データのうち、図５に示したａ，ｂは、色信号成分を表しており、比較器２５０６は、色信号成分ａ，ｂが所定のレベル以上であれば有彩色、そうでなければ無彩色と判定し、１ｂｉｔの判定信号をカウンタ２５０７に出力する。カウンタ２５０７は、比較器２５０６から入力された有彩色、無彩の判定信号を個別にカウントする。
【００３３】
文字／写真判定部２５０８は、画像データから文字エッジを抽出し、画像データを文字部分と写真部分とに分離し、文字／写真判定信号を出力する。この文字／写真判定信号も画像データと共にＲＡＭ２００２やＨＤＤ２００４に格納され、印刷時に使用される。特定原稿判定部２５０９は、入力画像信号と当該特定原稿判定部２５０９が有する特定原稿の信号パターンとの一致の度合により、入力画像信号が特定原稿に係るものであるか否かを判定する。この判定結果に応じて、画像信号を加工し、紙幣や有価証券などの偽造を防止することができる。
【００３４】
図６はプリンタ画像処理部２０１６の詳細な構成を示している。下地飛ばし部２６０１は、画像データの地色を飛ばし、不要な下地のカブリ除去を行う。下地飛ばし部２６０１は、例えば、３×８のマトリクス演算部や、１次元ルックアップテーブルにより下地飛ばし処理を行う。モノクロ生成部２６０２は、カラー画像データをモノクロ画像データに変換する。モノクロ生成部２６０２は、例えば、ＲＧＢ信号に任意の定数を掛け合わせ、Ｇｒａｙ信号とする１×３のマトリクス演算処理を行う。
【００３５】
出力色補正部２６０３は、画像データを出力するプリンタ２０９５の特性に合わせて色補正を行う。出力色補正部２６０３は、例えば、４×８のマトリクス演算や、ダイレクトマッピングにより色補正を行う。フィルタ処理部２６０４は、例えば、９×９のマトリクス演算処理により、画像データの空間周波数を任意に補正する。ガンマ補正部２６０５は、通常、１次元のルックアップテーブルを用いて、プリンタ２０９５の特性に合わせてガンマ補正処理を行う。
【００３６】
中間調補正部２６０６は、２値化や３２値化など、任意のスクリーン処理や、誤差拡散処理を行うことにより、プリンタ２０９５の階調数に合わせて任意に中間調処理を行う。なお、プリンタ画像処理部２０１６の上記の各処理は、前述の文字／写真判定信号によって切り替えることも可能である。ドラム間遅延メモリ２６０７は、ＣＭＹＫの各色用の感光ドラムを持つカラープリンタにおいて、ＣＭＹＫの各色の印字タイミングをドラム間分ずらすことで、ＣＭＹＫの各色の画像を重ね合わせるためのメモリであり、ＣＭＹＫの各色の画像の位置を合わせるべく、これら各色の画像信号を遅延させる。
【００３７】
図７は、画像通信装置２００として機能する複合機の外観図である。スキャナ２０７０は、原稿上の画像を照明し、ＣＣＤラインセンサ（図示せず）を走査することで、原稿に係る画像光をラスターイメージデータとして電気信号に変換する。この場合、原稿は原稿フィーダ２７０１のトレイ２７０２にセットされ、使用者が操作部２０８５から読み取りを指示することにより、スキャナ２０７０は、コントローラユニット２０００のＣＰＵ２００１の制御の下に、トレイ２７０２上の原稿を原稿フィーダ２７０１により１枚ずつフィードし、原稿画像の読み取り動作を行う。
【００３８】
プリンタ２０９５は、感光体ドラムや感光体ベルトを用いた電子写真方式で印刷を行っているが、微小ノズルアレイからインクを吐出して用紙上に直接画像を印字するインクジェット方式等の他の方式のプリンタであってもよい。プリント動作の起動は、ＣＰＵ２００１からの指示によって行われる。プリンタ２０９５は、異なる用紙サイズまたは異なる用紙向きを選択できるように複数の用紙カセット２７０３、２７０４、２７０５を有している。また、プリンタ２０９５は、印字し終わった用紙を排出するための排紙トレイ２７０６を有している。
【００３９】
図８は操作部２０８５の構成を示している。ＬＣＤ表示部２８０１は、ＬＣＤ上にタッチパネルシート２８０２が貼られており、本装置の操作画面およびソフトキーを表示すると共に、表示中のキーが押されるとその位置情報をＣＰＵ２００１に伝える。スタートキー２８０３は、原稿画像の読み取り動作を開始する時などに用いる。このスタートキー２８０３の中央部には、緑と赤の２色ＬＥＤ２８０４が設けられ、その点灯した色によってスタートキー２８０３が使える状態にあるか否かを示すように構成されている。
【００４０】
ストップキー２８０５は、稼働中の動作を停止させるためのキーである。ＩＤキー２８０６は、置数キーや記号キー（ＩＤキー２８０６の左側の１２個のキー）によりユーザＩＤやパスワードを入力する場合に用いられる。リセットキー２８０７は、操作部２０８５により設定した内容を初期化する場合に用いられる。なお、ＣＰＵ２００１は、ユーザの認証無しには、後述の初期画面および標準画面に移行することができないように制御する。すなわち、画像通信装置２００のＨＤＤ２００４等には、本画像通信装置２００を使用可能なユーザのユーザＩＤやパスワードが登録されており、このユーザＩＤやパスワードが入力された場合に当該ユーザが認証され、認証されたユーザだけが本画像通信装置２００を使用できるようになっている。なお、ユーザ認証を行うためのユーザＩＤやパスワードの入力は、キー入力ではなく予めユーザＩＤやパスワードを記録した認証カードにより行うことも可能である。ユーザモードキー２８０８は、制御に必要な各種調整値や、受信印刷の際の受信記録（フッタ）有無、両面、２ｉｎ１、分割、余白付き代替出力の有無、縮小可能範囲等といった機器情報を設定するためのキーである。ユーザモードで設定された各種設定値は、ＲＡＭ２００２やＨＤＤ２００４に保存され、電源ＯＦＦ時でも保持される。
【００４１】
図９は、操作部２０８５のＬＣＤ表示部２８０１に表示される初期画面（送信設定画面）を示しており、この初期画面は、各画像形成機能を設定した後に戻ってくる標準画面でもある。コピータブ３１０１は、コピー設定用の画面に切り替える際に利用される。送信タブ３１０２は、スキャンした画像データをファクスや電子メールで送信するための設定画面に切り替える際に利用される。ボックスタブ３１０３は、ＨＤＤ２００４にスキャン画像データ、ＰＤＬ画像データを格納する場合、或いはＨＤＤ２００４に格納されたスキャン画像データ、ＰＤＬ画像データを印字、送信、編集するための設定画面に切り替える際に利用される。
【００４２】
ウィンドウ３１０４には、読込設定ボタン３１０５によって設定された画像読込時の設定内容が表示される。読込設定ボタン３１０５は、画像読み込み時の解像度、濃度などを設定するために利用される。送信設定ボタン３１０６は、タイマー送信時のタイマー設定等のモード設定等を行うために利用される。
【００４３】
ウィンドウ３１０７には、宛先表ボタン３１０８の操作により宛先表が表示される。詳細情報ボタン３１０９は、ウィンドウ３１０７に表示された宛先表の中から指定した宛先の詳細な情報を表示させる際に利用される。消去ボタン３１１０は、ウィンドウ３１０７に表示された宛先を消去するために利用される。
【００４４】
図１０は図９の読込設定ボタン３１０５を押下したときに表示されるウィンドウである。読取サイズボタン３２０１は、読取対象の原稿のサイズをポップアップメニューの中から選択して設定するためのボタンであり、設定された読取サイズはボックス３２０２に表示される。読取色モードボックス３２０３は、原稿の読取り色を設定するためのボックスであり、カラー、ブラック、自動（ＡＣＳ）の３種類の読み取り色モードを設定することができる。
【００４５】
解像度ボックス３２０４は、原稿読み取りの解像度を設定するためのボックスである。スライダ３２０５は、原稿読み取り濃度を調整するためのスライダであり、９段階の濃度調整を行うことができる。自動ボタン３２０６は、新聞画像のように下地がかぶった画像を読込む場合に濃度を自動的に決定するためのボタンである。
【００４６】
図１１に図９のコピータブ３１０１を押下したときに表示されるコピー設定画面を示している。ボックス３３０１は、コピーできる状態であるか否の情報を表示するボックスであり、設定したコピー部数も表示される。自動ボタン３３０２は、図１０の自動ボタン３２０６と同等の機能を有するボタンであり、下地除去を自動的にするか否かを選択するためのボタンである。スライダ３３０３は、図１０のスライダ３２０５と同等の機能を有し、９段階の濃度調整を行うことができる。ボックス３３０４は、原稿のタイプを選択するためのボックスであり、文字・写真・地図、文字、印画紙写真、印刷写真を選択することができる。
【００４７】
応用モードボタン３３０５は、縮小レイアウト（複数枚の原稿を１枚の用紙に縮小印字する機能）や、カラーバランス（ＣＭＹＫの各色微調整）などを設定することができる。ソート設定ボタン３３０６は、各種フィニッシングに係る設定を行うためのボタンであり、シフトソート、ステープルソート、グループソートを設定することができる。両面ボタン３３０７は、両面読み込み、および、両面印刷に係る設定を行うためのボタンである。
【００４８】
図１２に図９のボックスタブ３１０３を押下したときに表示されるボックス設定画面を示している。ボックス３４０１には、ＨＤＤ２００４を論理的に区分した各フォルダに係る情報が表示される。すなわち、ボックス３４０１には、フォルダに予め割り振られたフォルダ番号、当該フォルダで使用しているディスク容量の割合、任意に付けられたフォルダの名称が表示される。また、ボックス３４０２には、ＨＤＤ２００４の全体の使用量が表示される。
【００４９】
図１３は、図１２のボックス３４０１に表示されているフォルダＮｏ．０に係るフォルダを指定（押下）した場合に表示される画面を示している。符号３５０１および３５０２はフォルダに格納されている文書を示しており、この文書は複数のページで構成されている。符号３５０１で示した文書については、スキャン文書であることを示すアイコン、当該文書のＨＤＤ２００４の使用量、ユーザが任意に設定した文書名が表示されている。また、符号３５０２で示した文書については、ＰＤＬ文書であることを示すアイコン、当該文書のＨＤＤ２００４の使用量、ユーザが任意に設定した文書名が表示されている。上記のアイコンを押下することで対応する文書名が反転表示され、選択状態であることがユーザに示される。
【００５０】
送信ボタン３５０３は、上記のようにして選択された文書を送信するためのボタンである。読み込みボタン３５０４は、スキャナ２０７０により原稿画像を読み込んで文書を生成するためのボタンである。全選択ボタン３５０５は、フォルダ内の全ての文書を選択するためのボタンである。削除ボタン３５０６は、選択された文書を削除するためのボタンである。プリントボタン３５０７は、選択された文書を印刷するためのボタンである。
【００５１】
編集ボタン３５０８は、選択された文書を編集するためのボタンであり、この編集処理としては、例えば２つの文書を結合して１つの文書にして保存する、特定のページを削除する等の処理を行うことができる。詳細情報ボタン３５０９は、選択された文書の詳細情報を表示するためのボタンである。この詳細情報としては、文書名の他に解像度、原稿サイズ、カラー等の情報がある。
【００５２】
図１４は、画像通信装置２００（複合機）のソフトウェア構成を示す図である。図１４に示したように、画像通信装置２００（複合機）は、操作部２０８５を制御するＵＩ制御部４０１０、ＵＩ制御部４０１０からの指示に従ってコピー処理を行うコピーアプリケーション４０２０、送信処理を行う送信アプリケーション４０２１、上記のボックス画面に係るスキャン処理やプリント処理を行うＢＯＸアプリケーション４０２２を有している。
【００５３】
また、画像通信装置２００（複合機）は、ネットワークアプリケーション４１２０からＰＤＬプリントデータを受け取り、ＰＤＬプリントジョブを投入するＰＤＬアプリケーション４０２３、ＵＩ制御部４０１０の機器依存部分を吸収するための共通インタフェース部４０３０、共通インタフェース部４０３０から受け取ったジョブ情報を整理し、下位層のドキュメント処理部に伝達するジョブマネージャ４０４０を有している。
【００５４】
このドキュメント処理部は、ＦＡＸマネージャ４０４１、スキャンマネージャ４０５０、ファイルリードマネージャ４０６０、ＰＤＬマネージャ４０７０、シンクマネージャ４０８０、プリントマネージャ４０９０、ファイルストアマネージャ４１００、及びイメージマネージャ４１１０を有している。
【００５５】
ローカルコピーを行う場合は、スキャンマネージャ４０５０とプリントマネージャ４０９０が作動し、リモートコピーの送信ジョブを実行する場合は、スキャンマネージャ４０５０とファイルストアマネージャ４１００が作動し、リモートコピーの受信ジョブを実行する場合は、ファイルリードマネージャ４０６０とプリントマネージャ４０９０が作動し、ＬＩＰＳやＰｏｓｔＳｃｒｉｐｔなどのＰＤＬプリントを行う場合は、ＰＤＬマネージャ４０７０とプリントマネージャ４０９０が作動する。
【００５６】
これらドキュメントマネージャ間の同期取り、および各種画像処理を行うイメージマネージャ４１１０への画像処理の依頼は、シンクマネージャ４０８０を介して行われる。スキャン時やプリント時の画像処理や画像ファイルの格納は、イメージマネージャ４１１０により行われる。
【００５７】
次に、ローカルコピーを行う場合の各ソフトウェアの処理について説明する。使用者の指示により、ＵＩ制御部４０１０からコピー指示信号、及びコピー処理に係る設定情報を含むジョブ情報がコピーアプリケーション４０２０に伝達される。コピーアプリケーション４０２０は、ＵＩ制御部４０１０からのジョブ情報を共通インタフェース部４０３０を介してジョブマネージャ４０４０に転送する。ジョブマネージャ４０４０は、スキャンマネージャ４０５０とプリントマネージャ４０９０にジョブ情報を伝達する。
【００５８】
スキャンマネージャ４０５０は、図示しないデバイスＩ／Ｆ（デバイスＩ／Ｆはコントローラユニット２０００とスキャナ２０７０、およびコントローラユニット２０００とプリンタ２０９５を結ぶシリアルＩ／Ｆ）を介してスキャナ２０７０にスキャン要求を行うと共に、シンクマネージャ４０８０を介してイメージマネージャ４１１０にスキャン用の画像処理を要求する。イメージマネージャ４１１０は、スキャンマネージャ４０５０の指示に従って、スキャナ画像処理部２０１４に対する設定を行い、この設定が完了するとシンクマネージャ４０８０を介してスキャンマネージャ４０５０にスキャン準備完了信号を出力する。
【００５９】
スキャンマネージャ４０５０は、スキャン準備完了信号が入力されると、スキャナ２０７０に対して原稿画像のスキャンを指示する。スキャナ２０７０は、原稿画像のスキャンが完了すると、スキャン完了信号を出力するが、このスキャン完了信号は、ハードウェアからの割り込み信号によりイメージマネージャ４１１０に伝達され、イメージマネージャ４１１０は、スキャン完了信号をシンクマネージャ４０８０に転送する。シンクマネージャ４０８０は、転送されたスキャン完了信号を更にスキャンマネージャ４０５０、及びプリントマネージャ４０９０に転送すると共に、ＲＡＭ２００２に蓄積されたスキャンに係る圧縮画像データをファイル化してＨＤＤ２００４に保存するようイメージマネージャ４１１０に指示する。
【００６０】
イメージマネージャ４１１０は、この指示に従ってＲＡＭ２００２上の画像データ（文字／写真判定信号を含めて）をファイル形式でＨＤＤ２００４に格納する。この場合、イメージマネージャ４１１０は、画像データの付随情報として、カラー判定／白黒判定結果、下地飛ばしのレベル、画像入力元としてスキャン画像、色空間ＲＧＢも図示しないＳＲＡＭに格納しておく。また、イメージマネージャ４１１０は、ＨＤＤ２００４へのファイル格納が終了し、スキャナ２０７０からのスキャン完了信号を受けると、シンクマネージャ４０８０を介してスキャンマネージャ４０５０にファイル化の終了信号を出力する。スキャンマネージャ４０５０は、ファイル化の終了信号をジョブマネージャ４０４０に転送し、ジョブマネージャ４０４０は、その終了信号を共通インタフェース部４０３０を介してコピーアプリケーション４０２０に転送する。
【００６１】
プリントマネージャ４０９０は、ＲＡＭ２００２に画像データが格納され始めた時点で、デバイスＩ／Ｆを介してプリンタ２０９５に当該画像データの印刷処理を要求すると共に、シンクマネージャ４０８０にプリント画像処理を要求する。シンクマネージャ４０８０は、プリントマネージャ４０９０からの要求に応じて画像処理に係る設定をイメージマネージャ４１１０に依頼する。イメージマネージャ４１１０は、上記の画像データの付随情報に従ってプリンタ画像処理部２０１６に対する設定を行い、シンクマネージャ４０８０を介してプリントマネージャ４０９０にプリント準備完了信号を出力する。
【００６２】
プリントマネージャ４０９０は、プリント準備完了信号を受け取ると、プリンタ２０９５に対して印刷指示信号と共に、プリンタ画像処理部２０１６で処理された画像データ（プリント画像）を出力する。この際、プリント画像転送完了信号は、図示しないハードウェアからの割り込み信号によって、イメージマネージャ４１１０に伝えられる。シンクマネージャ４０８０は、イメージマネージャ４１１０からのプリント準備完了信号をプリントマネージャ４０９０に転送する。プリンタ２０９５は、プリントに係る用紙を排紙した段階で排紙完了信号をプリントマネージャ４０９０に出力する。この排紙完了信号は、ジョブマネージャ４０４０、共通インタフェース部４０３０を介してコピーアプリケーション４０２０に転送される。コピーアプリケーション４０２０は、排紙完了信号を受けると、ローカルコピーに係るスキャン、プリントのジョブ終了をＵＩ制御部４０１０に通知する。
【００６３】
次に、リモートコピーのスキャンジョブ、送信ジョブを実行する場合の各ソフトウェアの処理について説明する。
【００６４】
ジョブマネージャ４０４０は、リモートコピーのスキャンジョブ、送信ジョブについては、プリントマネージャ４０９０に代わってファイルストアマネージャ４１００に伝達すると共に、スキャンマネージャ４０５０に伝達する。
【００６５】
ファイルストアマネージャ４１００は、スキャンマネージャ４０５０等の処理により得られたスキャン画像データ（画像ファイル）をＨＤＤ２００４に格納し終わった時点で、シンクマネージャ４０８０から格納完了通知を受け、その格納完了信号を共通インタフェース部４０３０を介してコピーアプリケーション４０２０、又は送信アプリケーション４０２１に伝達する。
【００６６】
この場合、ファイルストアマネージャ４１００は、リモートコピーのスキャンジョブに基づいてスキャン画像データ（画像ファイル）をＨＤＤ２００４に格納したときは、画像ファイルの格納完了信号をコピーアプリケーション４０２０に伝達し、送信ジョブに基づいてスキャン画像データ（画像ファイル）をＨＤＤ２００４に格納したときは、画像ファイルの格納完了信号を送信アプリケーション４０２１に伝達する。
【００６７】
コピーアプリケーション部４０２０、送信アプリケーション４０２１は、上記の格納完了信号を受けた場合、ＨＤＤ２００４に格納された画像ファイルの送信をネットワークアプリケーション４１２０に依頼し、送信依頼を受けたネットワークアプリケーション４１２０は画像ファイルを送信する。ネットワークアプリケーション４１２０は、リモートコピーの場合は、送信開始時にコピーアプリケーション４０２０からリモートコピーに関する設定情報を受け、その設定情報もリモート側（送信先）の機器に通知する。また、ネットワークアプリケーション４１２０は、リモートコピーの場合は、機器固有の通信プロトコルを使用して送信を行い、送信ジョブの場合は、ＦＴＰ、ＳＭＢのような標準的なファイル転送プロトコルを使用する。
【００６８】
ファクシミリ送信する場合は、画像ファイルがＨＤＤ２００４に格納された後、送信アプリケーション４０２１から共通インタフェース部４０３０、ジョブマネージャ４０４０を介してＦＡＸマネージャ４０４１に送信指示がなされる。この送信指示を受けてＦＡＸマネージャ４０４１は、モデム２０５０を介して相手機器とネゴシエーションし、必要な画像処理（カラー−白黒変換、多値２値変換、回転、変倍等）をイメージマネージャ４１１０に依頼し、画像処理後の画像データをモデム２０５０を介して送信する。
【００６９】
また、送信先の機器がプリンタ機能を有する場合、送信アプリケーション４０２１は、共通インタフェース部４０３０を介してプリントジョブとしてプリントの指示を行う。そのときの送信側の指示動作は、以下で説明するリモートコピーのプリントジョブの場合と同様である。また、送信宛先が自機器内のボックス宛先になっているときは、ファイルストアマネージャ４１００によって機器内のファイルシステムに格納する。
【００７０】
ファクシミリ受信時は、ＦＡＸマネージャ４０４１がモデム２０５０を介して画像データを受信し、画像ファイルとしてＨＤＤ２００４に格納する。ボックスアプリケーション４０２２は、画像データをＨＤＤ２００４に格納した旨の通知をＦＡＸマネージャ４０４１から受けると、共通インタフェース部４０３０を介してジョブマネージャ４０４０に受信プリントの指示を行う。その後の動作は、通常のボックスプリントジョブと同じ動作になるため省略する。
【００７１】
リモートコピーのプリントジョブの場合は、ネットワークアプリケーション４１２０が送信側からの画像データをＨＤＤ２００４に保存すると共に、コピーアプリケーション部４０２０に対してプリントジョブを発行し、コピーアプリケーション部４０２０が、共通インタフェース部４０３０を介してジョブマネージャ４０４０にプリントジョブを投入する。また、ローカルコピーの場合と異なり、スキャンマネージャ４０５０に代わってファイルリードマネージャ４０６０が、ジョブマネージャ４０４０からの処理要求を受ける。
【００７２】
ファイルリードマネージャ４０６０は、ＨＤＤ２００４内の受信画像データをＲＡＭ２００２に展開するための要求を、シンクマネージャ４０８０を介してイメージマネージャ４１１０に行う。イメージマネージャ４１１０は、ＨＤＤ２００４内の受信画像データをＲＡＭ２００２に展開し、その展開が終了した時点で、受信画像データの展開終了をシンクマネージャ４０８０を介してファイルリードマネージャ４０６０とプリントマネージャ４０９０に伝える。
【００７３】
プリントマネージャ４０９０は、受信画像データがＲＡＭ２００２に展開され始めた時点で、ジョブマネージャ４０４０から指示された給紙段、もしくは指示された用紙サイズを有する給紙段を選択し、デバイスＩ／Ｆを介してプリンタ２０９５に印刷要求をだす。なお、用紙自動選択の場合には、プリントマネージャ４０９０は、画像サイズから給紙段を決定して印刷要求を行う。プリントマネージャ４０９０は、同時にシンクマネージャ４０８０に対してプリント画像処理要求を行う。
【００７４】
シンクマネージャ４０８０は、プリントマネージャ４０９０からプリント画像処理要求を受けると、プリント画像処理設定をイメージマネージャ４１１０に依頼する（この場合、例えば最適サイズの用紙がなくなり、回転が必要になれば別途回転指示も依頼する。また、回転指示があった場合には、イメージマネージャ４１１０が回転部２０１９を用いて画像データを回転する）。
【００７５】
イメージマネージャ４１１０は、プリント画像処理設定の依頼を受けると、プリンタ画像処理部２０１６に対するプリント画像処理設定を行い、その設定が完了すると、シンクマネージャ４０８０を介してプリントマネージャ４０９０にプリント準備完了信号を出力する。プリントマネージャ４０９０は、プリント準備完了信号を受け取ると、プリンタ２０９５に対して印刷指示信号と共に、プリンタ画像処理部２０１６で処理された画像データ（プリント画像）を出力する。
【００７６】
この際、プリント画像転送完了信号は、図示しないハードウェアからの割り込み信号によって、イメージマネージャ４１１０に伝えられる。シンクマネージャ４０８０は、イメージマネージャ４１１０からのプリント準備完了信号をファイルリードマネージャ４０６０とプリントマネージャ４０９０に転送する。ファイルリードマネージャ４０６０は、プリント準備完了信号をジョブマネージャ４０４０に転送する。
【００７７】
プリンタ２０９５は、プリントに係る用紙を排紙した段階で排紙完了信号をプリントマネージャ４０９０に出力する。この排紙完了信号は、ジョブマネージャ４０４０、共通インタフェース部４０３０を介してコピーアプリケーション４０２０に転送される。コピーアプリケーション４０２０は、排紙完了信号を受けると、リモートコピーに係るプリントジョブの終了をＵＩ制御部４０１０に通知する。
【００７８】
ＰＤＬデータ展開格納ジョブの場合は、パーソナルコンピュータ２４０等からのＰＤＬプリント要求が、ネットワークアプリケーション４１２０を介してＰＤＬアプリケーション４０２３に伝達され、ＰＤＬアプリケーション４０２３が、ＰＤＬデータ展開格納ジョブを共通インタフェース部４０３０を介してジョブマネージャ４０４０に発行する。この場合、ＰＤＬマネージャ４０７０とファイルストアマネージャ４１００が、ジョブマネージャ４０４０からの処理要求を受ける。
【００７９】
ＰＤＬマネージャ４０７０は、ＰＤＬデータをビットマップイメージデータに変換してＲＡＭ２００４に展開し、ファイルストアマネージャ４１００は、ＲＡＭ２００４上の画像データ（ビットマップイメージデータ：文字／写真判定信号を含む）をＨＤＤ２００４に格納する。この場合、ファイルストアマネージャ４１００は、画像データの付随情報として、カラー／白黒情報、画像入力元としてＰＤＬ画像データ、色空間ＣＭＹＫもしくはＲＧＢも、図示しないＳＲＡＭに格納する。
【００８０】
ファイルストアマネージャ４１００は、ＰＤＬ画像に係るビットマップイメージデータをＨＤＤ２００４に格納し終わった時点で、格納完了信号をシンクマネージャ４０８０に出力し、シンクマネージャ４０８０は、その格納完了信号を共通インタフェース部４０３０を介してＰＤＬアプリケーション４０２３に転送する。ＰＤＬアプリケーション４０２３は、この格納完了信号を更にネットワークアプリケーション４１２０を介してＰＤＬプリントを要求したパーソナルコンピュータ２４０等に転送する。なお、ＰＤＬプリントジョブの場合には、ＲＡＭ２００４上に展開された画像データをＰＤＬマネージャ４０７０とプリントマネージャ４０９０によって印字する。
【００８１】
ＰＤＬ展開されＨＤＤ２００４に格納された画像データをプリントする場合は、ＵＩ制御部４０１０は、ＨＤＤ２００４に格納された画像データを指定したプリントジョブをボックスアプリケーション４０２２に対して発行する。ボックスアプリケーション４０２２は、共通インタフェース部４０３０を介してジョブマネージャ４０４０に当該プリントジョブを投入する。ローカルコピーの場合とは異なり、スキャンマネージャ４０５０に代わってファイルリードマネージャ４０６０がジョブマネージャ４０４０からの処理要求を受ける。ファイルリードマネージャ４０６０は、印刷指示された画像データをＨＤＤ２００４から読み出してＲＡＭ２００４に展開するための要求を、シンクマネージャ４０８０を介してイメージマネージャ４１１０に行う。この後の動作はリモートコピーのプリントジョブで説明した動作と同様のため、省略する。
【００８２】
図１５は、本発明の概念を示す図である。ここでは中国で一般に使用される「Ｋ紙」を例にとって説明する。通常用いられる８ッ切りの８Ｋサイズは、２７０ｍｍ×３９０となっており、Ａ３（２９７ｍｍ×４２０ｍｍ）に比べて面積比で約１５％程度小さく、幅比で約１０％、長さ比で約７％程度小さい。また、１６ッ切りの１６Ｋサイズも同様に、１９５ｍｍ×２７０となっており、Ａ４（２１０ｍｍ×２９７ｍｍ）に比べてて面積比で約１５％程度小さく、幅比で約７％、長さ比で約１０％程度小さい。例えば、ファクスにて、Ａ４サイズで８ｐｉｘ／ｍｍ×７．７ｌｉｎｅ／ｍｍの解像度で受信した場合、通信路上では、ライン当たり１７２８画素の画像データとして交換される。従って印刷する際には、プリンタの特性に応じて、画素密度変換や記録位置の調整が必要となる。例えば、一般的なプリンタ解像度である、６００ｄｐｉ変倍し、且つプリンタの印字不能領域が左右１．５ｍｍである場合には、（１９５ｍｍ−（１．５ｍｍ×２））＊６００／（２５．４＊１７２８）＝約２６２％となり、実際には拡大処理が施される。
【００８３】
図１６は、本発明の動作概念図である。図１５で説明したように、Ａ４の代替として１６Ｋを、Ａ３の代替として８Ｋを登録する構成を例にとって説明する。５０２１は、本発明の画像通信装置で、Ａ４サイズのデータを受信し、１６Ｋサイズの記録紙に出力する場合の例である。Ａ４幅のサイズの画像を受信した場合に、代替サイズとして登録されている１６Ｋの用紙サイズで最初に、有効印字領域、画像分割数、変倍率、２ｉｎ１印刷するか否か、副走査方向の非印字領域である欠落範囲といった出力パラメータをそれぞれ計算し、出力可能なカセットの選択を行う。一段目と二段目にＡ４相当のカセットがあり、且つ用紙残量があるため、印刷を実行する前に、段数が上である一段目を選択する。ここで、代替サイズとして登録されている１６Ｋのサイズコードと画像形成装置から得られた一段目のカセットのサイズコードが合致するため、一段目のカセットから給紙して出力する。
【００８４】
５０２２は、本発明の画像通信装置で、Ａ４サイズのデータを受信し、Ａ４サイズの記録紙に出力する場合の例である。Ａ４幅のサイズの画像を受信した場合に、Ａ４幅の代替サイズとして登録されている１６Ｋの用紙サイズで最初に、有効印字領域、画像分割数、変倍率、２ｉｎ１印刷するか否か、副走査方向の非印字領域である欠落範囲といった出力パラメータをそれぞれ計算し、出力可能なカセットの選択を行う。一段目と二段目にＡ４相当のカセットがあり、且つ用紙残量があるため、印刷を実行する前に、段数が上である一段目を選択する。ここで、代替サイズとして登録されている１６Ｋのサイズコードと画像形成装置から得られた一段目のカセットのサイズコードが合致しない。この場合は、Ａ４の用紙サイズで、再度に、有効印字領域、画像分割数、変倍率、２ｉｎ１印刷するか否か、副走査方向の非印字領域である欠落範囲といった出力パラメータをそれぞれ計算し、出力可能なカセットの再選択を行う。この場合は、一段目にのみＡ４相当のカセットがあり、且つ用紙残量があるため、印刷を実行する前に、一段目を選択し、一段目のカセットから給紙して出力する。
【００８５】
５０２３は、本発明の画像通信装置で、Ａ４サイズのデータを受信し、Ａ４サイズの記録紙に出力する場合の別の例である。Ａ４幅のサイズの画像を受信した場合に、Ａ４幅の代替サイズとして登録されている１６Ｋの用紙サイズで最初に、有効印字領域、画像分割数、変倍率、２ｉｎ１印刷するか否か、副走査方向の非印字領域である欠落範囲といった出力パラメータをそれぞれ計算し、出力可能なカセットの選択を行う。一段目と二段目にＡ４相当のカセットがあり、二段目にのみ用紙残量があるため、印刷を実行する前に、二段目を選択する。ここで、代替サイズとして登録されている１６Ｋのサイズコードと画像形成装置から得られた二段目のカセットのサイズコードが合致しない。この場合は、Ａ４の用紙サイズで、再度に、有効印字領域、画像分割数、変倍率、２ｉｎ１印刷するか否か、副走査方向の非印字領域である欠落範囲といった出力パラメータをそれぞれ計算し、出力可能なカセットの再選択を行う。この場合も同様に、一段目と二段目にＡ４相当のカセットがあり、且つ二段目のみ用紙残量があるため、印刷を実行する前に、二段目を選択し、二段目のカセットから給紙して出力する。
【００８６】
５０２４は、本発明の画像通信装置で、Ａ３サイズのデータを受信し、８Ｋサイズの記録紙に出力する場合の例である。通常、機器制御手段が着信時を検出すると、画像形成手段から、使用可能なカセットを取得し、受信可能最大サイズを通知する。例えば二段目と三段目のカセットが使用可能で、それぞれＡ４サイズと８Ｋサイズとして設定されている場合、８Ｋサイズが、代替サイズとして登録されているか判別し、例えばＡ３の代替サイズコードとして登録されている場合には、受信可能最大サイズとしてＡ３を相手機に通知する。これにより、Ａ３サイズを受信し、前述したようなロジックを経て三段目のカセットから給紙して出力する。
【００８７】
５０２５は、本発明の画像通信装置で、Ａ４サイズのデータを５０ページ受信し、１６Ｋサイズの記録紙にのみ出力する場合の例である。機器制御手段では、まず受信した画像が全て同じ幅であるか否かを検出する。全ページがＡ４幅のサイズの画像を受信したと判断した場合には、同系列出力が有効となる。まずＡ４幅の代替サイズとして登録されている１６Ｋの用紙サイズで最初に、有効印字領域、画像分割数、変倍率、２ｉｎ１印刷するか否か、副走査方向の非印字領域である欠落範囲といった出力パラメータをそれぞれ計算し、出力可能なカセットの選択を行う。一段目、二段目および三段目にＡ４相当のカセットがあり、それぞれ用紙残量があるため、印刷を実行する前に、段数が上である一段目を選択する。ここで、代替サイズとして登録されている１６Ｋのサイズコードと画像形成装置から得られた一段目のカセットのサイズコードが合致するため、一段目を選択し、一段目のカセットから給紙して出力する。また、この時最後に出力した用紙のサイズコードを保持する。前述してきたカセット選択処理は一頁出力する毎に計算されるが、カセット一段目に用紙が無くなった時点で、条件が変更される。
【００８８】
これまでと同様に、Ａ４幅の代替サイズとして登録されている１６Ｋの用紙サイズで、有効印字領域、画像分割数、変倍率、２ｉｎ１印刷するか否か、副走査方向の非印字領域である欠落範囲といった出力パラメータをそれぞれ計算し、出力可能なカセットの選択を行う。一段目は用紙無しであるため、二段目および三段目が条件に合致し、印刷を実行する前に、段数が上である二段目を選択する。ここで、機器制御手段は、同系列出力が有効であり、且つ最後に出力したサイズコードが１６Ｋで有るか判定を行う。同系列出力が有効で、最終出力サイズコードが１６Ｋであるため、画像形成装置から得られた二段目のカセットのサイズコードと合致しない。この場合は、二段目のカセットは用紙残量が無いと見なし、選択されない。ここで再度条件が変更され、出力可能なカセットの選択を行う。一段目、二段目は用紙無しであるため、三段目が条件に合致し、前述と同様のロジックを経て、三段目が選択され、三段目のカセットから給紙して出力する。
【００８９】
５０２６は、本発明の画像通信装置で、Ａ４サイズおよびＬＴＲサイズのデータを受信し、Ａ４および１６Ｋサイズの記録紙に出力する場合の例である。機器制御手段では、前述のユーザモードキー２８０８にて、最大許容縮小率が９０％に設定された場合に、縮小率を超えて代替サイズに出力を禁止するフローを説明する。
【００９０】
まず機器制御手段は、Ａ４幅のサイズの画像を受信した場合に、Ａ４幅の代替サイズとして登録されている１６Ｋの用紙サイズで最初に、有効印字領域、画像分割数、変倍率、２ｉｎ１印刷するか否か、副走査方向の非印字領域である欠落範囲といった出力パラメータをそれぞれ計算する。しかしながら図１５に示した通り、Ａ４→１６Ｋでは、約８７％の縮小となり、代替できる範囲を超過している。この場合に、代替サイズを選択せず、Ａ４サイズとして、再度、出力可能なカセットの選択を行う。５０２２と同様のロジックを経て、印刷を実行する前に、二段目を選択し、二段目のカセットから給紙して出力する。
【００９１】
次にＬＴＲ幅のサイズの画像を受信した場合に、Ａ４幅の代替サイズとして登録されている１６Ｋの用紙サイズで有効印字領域、画像分割数、変倍率、２ｉｎ１印刷するか否か、副走査方向の非印字領域である欠落範囲といった出力パラメータをそれぞれ計算する。図１５に示した通り、ＬＴＲ→１６Ｋでは、約９３％の縮小となり、代替できる範囲に収まっているため、５０２１と同様のロジックを経て、印刷を実行する前に、一段目を選択し、一段目のカセットから給紙して出力する。
【００９２】
図１７は、本発明の自動出力時のカセット選択および画像データ形成のフローを示す図である。
【００９３】
図面では、ステップをＳと示す。
【００９４】
ステップ５０３１において、機器制御手段は、受信したすべてのページの画像サイズを取得し、ステップ５０３２において、画像形成装置から、出荷仕向けに関する情報を取得する。次にステップ５０３３において、ステップ５０３２で取得した仕向けに応じて、予め機器に登録されている代替定型サイズを使用するか否かおよびする場合の用紙サイズ等の設定値を取得する。次にステップ５０３４にて、代替定型サイズを使用するか否かを決定する。本ステップでは、前述の５０２６で示したような、その他の条件による使用可否も加味して決定する。次に代替定型サイズに出力すると決定して場合に、ステップ５０３５に進む。ステップ５０３５では、分割／倍率／余白に関する各設定値を取得する。次に、ステップ５０３６では、出力する対象ページの順番に、代替定型サイズの各パラメータから、ページ分割数・倍率等を計算する。次にステップ５０３７では、代替定型サイズと、出力予定の代替定型サイズに関連付けられた定型サイズの両方のカセットが、画像形成装置に設定されており、記録紙の残量があるか検出し、選択可能なカセットの一覧を作成する。次にステップ５０３８では、選択可能なカセット一覧から、優先度に応じて、最も高速に出力（通常はより上段の）カセットのサイズコードを取得する。ここでいう優先度とは、出力したい原稿のサイズに対して、出力対象の記録紙のサイズのマトリックステーブルにおいて、近いサイズが優先的に選択されるように割り当てられている。次にステップ５０３９で、カセットのサイズコードと、ステップ５０３６で計算した代替定型サイズのコードが一致するか判定する。判定した結果、代替定型サイズコードと一致する場合は、ステップ５０４０に進み、実際に印刷を試みて、選択したカセットの記録紙残量があれば、ステップ５０４１にて、選択した代替サイズのカセットから給紙して出力する。
【００９５】
一方で、ステップ５０４０にて、実際に印刷を試みた結果、選択したカセットの記録紙残量が無くなってしまった場合、または、ステップ５０３９にて選択したカセットのサイズコードと代替サイズのコードと異なる場合、およびステップ５０３４にて代替定型サイズを使用しないと判定した場合には、ステップ５０４２に進み、出力する対象ページの順番に、受信サイズに相当する、定型サイズの各パラメータから、ページ分割数・倍率等を計算する。次にステップ５０４３では、出力予定の定型サイズのカセットが、画像形成装置に設定されており、記録紙の残量があるか検出し、選択可能なカセットの一覧を作成する。次にステップ５０４４では、選択可能なカセット一覧から、最も高速に出力（通常はより上段の）カセットおよび最もサイズが近しいカセットを選択する。次にステップ５０４５で、実際に印刷を試みて、選択したカセットの記録紙残量があれば、ステップ５０４６にて、選択した定型サイズのカセットから給紙して出力する。一方で、ステップ５０４５にて実際に印刷を試みた結果、選択したカセットの記録紙残量が無くなってしまった場合、ステップ５０４７に進み、用紙無しを通知して、出力待機する。以下は、図示されないフローによって、機器制御手段は、上位にてジョブを待機中の状態に遷移させ、再度ステップ５０４３と同様の計算を行い、選択可能なカセット一覧がある場合は、再度出力を試みるため、ステップ５０３１から継続し、カセット一覧が無い場合には、オペレータに用紙無しによって出力不能となった旨を通知する。
【００９６】
図１８は、本発明の設定パラメータ例（中国定型紙：中国仕向けでの一例）を示す図である。図示した通り、中国仕向けに於いては、Ａ４に関連づけられた代替サイズとして１６Ｋサイズの短手長、同長手長が設定されており、Ｂ４に関連づけられた代替サイズとしては、未設定であり、Ａ３に関連づけられた代替サイズとして８Ｋサイズの短手長、同長手長が設定されている。また、分割出力する際には、副走査方向に縮小を行わないため、主走査のみ倍率が別途設定されており、Ａ４に関連づけられた代替サイズに分割出力する際の、主走査縮小率と、Ａ３に関連づけられた代替サイズに分割出力する際の、主走査縮小率がそれぞれ１６Ｋ／８Ｋにあうように設定されている。また、Ａ４およびＡ３に関連づけられた代替サイズの機器内制御用のサイズコードが、それぞれ１６Ｋおよび８Ｋを示すコードが設定されている。また、代替定型紙に出力するか否かを決定する設定が規定される。
【００９７】
図１９は、本発明の操作部の受信記録設定の画面例である。前述のユーザモードキー２８０８押下により、本画面に遷移する。
【図面の簡単な説明】
【００９８】
【図１】画像形成システムの全体構成を示す図
【図２】画像通信装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像通信装置の入出力デバイス外観図
【図８】画像通信装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】本発明の概念図（中国定型紙：中国仕向けでの一例）
【図１６】本発明の動作概念図（中国定型紙：中国仕向けでの一例）
【図１７】本発明の自動出力時のカセット選択および画像データ形成のフロー
【図１８】本発明の設定パラメータ例を示す図（中国定型紙：中国仕向けでの一例）
【図１９】本発明の操作部の受信記録設定の画面例を示す図
【符号の説明】
【００９９】
２０００  コントローラユニット
２００１  ＣＰＵ
２００２  ＲＡＭ
２００３  ＲＯＭ
２００４  ＨＤＤ
２００５  操作部Ｉ／Ｆ
２００７  ネットワークＩ／Ｆ
２００８  システムバス
２００９  ＤＭＡＣ
２０１０  画像バス
２０１１  イメージバスＩ／Ｆ
２０１２  圧縮部
２０１３  伸張部
２０１４  スキャナ画像処理部
２０１６  プリンタ画像処理部
２０１８  ラスタイメージプロセッサ
２０１９  回転部
２０２０  変倍部
２０２１  色空間変換部
２０２２  ２値多値変換部
２０２３  合成部
２０２４  間引き部
２０２５  移動部
２０２６  多値２値変換部
２０３０  画像変換部
２０５０  モデム
２０５２  ２値画像回転部
２０５３  ２値画像圧縮・伸張部
２０７０  スキャナ
２０８０  ＬＡＮ
２０８５  操作部
２０９０  ＷＡＮ
２０９５  プリンタ
【図１】
2006352638.tif 000003
【図２】
2006352638.tif 000004
【図３】
2006352638.tif 000005
【図４】
2006352638.tif 000006
【図５】
2006352638.tif 000007
【図６】
2006352638.tif 000008
【図７】
2006352638.tif 000009
【図８】
2006352638.tif 000010
【図９】
2006352638.tif 000011
【図１０】
2006352638.tif 000012
【図１１】
2006352638.tif 000013
【図１２】
2006352638.tif 000014
【図１３】
2006352638.tif 000015
【図１４】
2006352638.tif 000016
【図１５】
2006352638.tif 000017
【図１７】
2006352638.tif 000018
【図１６】
2006352638.tif 000019
【図１８】
2006352638.tif 000020
【図１９】
2006352638.tif 000021